(57)【要約】【課題】工事中のモニタリング情報を、その情報種別の軽重などに応じて参照することが可能なウィンドウ表示制御システムを提供する。【解決手段】本発明に係るウィンドウ表示制御システム１０は、上位情報処理装置３０と、前記上位情報処理装置３０と通信可能とされると共に表示装置５３を備えた複数の下位情報処理装置５０と、からなり、複数のウィンドウを前記表示装置５３に表示するウィンドウ表示制御システムであって、前記表示装置５３で表示される複数のウィンドウは、メインウィンドウ表示エリアと、サブウィンドウ表示エリアとのいずれかかに表示されると共に、サブウィンドウ表示エリアで表示されるウィンドウの広さは、メインウィンドウ表示エリアより狭いことを特徴とする。【選択図】      図１
2020173303.tif 000002
【特許請求の範囲】
【請求項１】
上位情報処理装置と、前記上位情報処理装置と通信可能とされると共に表示装置を備えた複数の下位情報処理装置と、からなり、複数のウィンドウを前記表示装置に表示するウィンドウ表示制御システムであって、
前記表示装置で表示される複数のウィンドウは、メインウィンドウ表示エリアと、サブウィンドウ表示エリアとのいずれかかに表示されると共に、
サブウィンドウ表示エリアで表示されるウィンドウの広さは、メインウィンドウ表示エリアより狭いことを特徴とするウィンドウ表示制御システム。
【請求項２】
前記下位情報処理装置のユーザーが、どのウィンドウをメインウィンドウ表示エリアに表示させ、どのウィンドウをサブウィンドウ表示エリアに表示させ、どのウィンドウをいずれの表示エリアにも表示させないかに係るウィンドウのレイアウトを選択することを特徴とする請求項１に記載のウィンドウ表示制御システム。
【請求項３】
ユーザーによって選択されたウィンドウのレイアウトは、それぞれのユーザーに対応してウィンドウ管理データに格納されると共に、全ユーザーの当該ウィンドウ管理データが前記上位情報処理装置に記憶されることを特徴とする請求項２に記載のウィンドウ表示制御システム。
【請求項４】
前記表示装置に表示を許容するウィンドウの種別はユーザー毎で規定されており、
それぞれのユーザーに対応したウィンドウ毎の表示の許可・不許可を前記ウィンドウ管理データに記憶することを特徴とする請求項１乃至請求項３のいずれか１項に記載のウィンドウ表示制御システム。
【請求項５】
前記ウィンドウで表示される情報が、建設中の建造物に係るものであることを特徴とする請求項１乃至請求項４のいずれか１項に記載のウィンドウ表示制御システム。
【発明の詳細な説明】
【技術分野】
【０００１】
本発明は、特に建設工事中のビルディングにおけるモニタリング情報の提供に好適なウィンドウ表示制御システムを提供する。
【背景技術】
【０００２】
近年、ビルディングなどの建設中にあっては、作業員や近隣の住民に対してサイネージなどにより、工事のモニタリング情報を提供することが行われている。
【０００３】
例えば、特許文献１（特許６４７５３８２号公報）には、表示装置に複数に表示された選択用画像が選択された場合に、当該選択された画像の表示装置への表示形態を指定する管理者用選択画面の表示処理と、管理者用選択画面で選択された画像を、指定された形態で表示装置に表示する表示処理とを行う作業現場用サイネージシステムが開示されている。
【特許文献１】特許６４７５３８２号公報
【発明の概要】
【発明が解決しようとする課題】
【０００４】
ビルディングの建設中にあっては、工事の進捗等を総合的に管理する管理要員がモニタしておくべき情報、現場作業に従事する作業員がモニタしておくべき情報など建設工事における立場によって、参照すべき情報が異なってくる。特に、作業員にあっては、どのような作業を行う作業班に所属する作業員であるかによって、参照すべき情報が細分化されている。また、それぞれの立場に応じて、モニタすべき情報はその種類によって軽重がある。
【０００５】
しかしながら、特許文献１記載の従来技術では、システムの管理者が、表示装置に表示する形態を一方的・一意的に指定しまう構成が採用されており、ぞれぞれの立場に応じたモニタリング情報を、それぞれの嗜好に応じて参照することできなかったり、モニタリング情報種別の軽重に応じて情報を参照することができなかったりして、問題であった。
【課題を解決するための手段】
【０００６】
この発明は、上記のような課題を解決するものであって、本発明に係るウィンドウ表示制御システムは、上位情報処理装置と、前記上位情報処理装置と通信可能とされると共に表示装置を備えた複数の下位情報処理装置と、からなり、複数のウィンドウを前記表示装置に表示するウィンドウ表示制御システムであって、前記表示装置で表示される複数のウィンドウは、メインウィンドウ表示エリアと、サブウィンドウ表示エリアとのいずれかかに表示されると共に、サブウィンドウ表示エリアで表示されるウィンドウの広さは、メインウィンドウ表示エリアより狭いことを特徴とする。
【０００７】
また、本発明に係るウィンドウ表示制御システムは、前記下位情報処理装置のユーザーが、どのウィンドウをメインウィンドウ表示エリアに表示させ、どのウィンドウをサブウィンドウ表示エリアに表示させ、どのウィンドウをいずれの表示エリアにも表示させないかに係るウィンドウのレイアウトを選択することを特徴とする。
【０００８】
また、本発明に係るウィンドウ表示制御システムは、ユーザーによって選択されたウィンドウのレイアウトは、それぞれのユーザーに対応してウィンドウ管理データに格納されると共に、全ユーザーの当該ウィンドウ管理データが前記上位情報処理装置に記憶されることを特徴とする。
【０００９】
また、本発明に係るウィンドウ表示制御システムは、前記表示装置に表示を許容するウィンドウの種別はユーザー毎で規定されており、それぞれのユーザーに対応したウィンドウ毎の表示の許可・不許可を前記ウィンドウ管理データに記憶することを特徴とする。
【００１０】
また、本発明に係るウィンドウ表示制御システムは、前記ウィンドウで表示される情報が、建設中の建造物に係るものであることを特徴とする。
【発明の効果】
【００１１】
本発明に係るウィンドウ表示制御システムは、複数のウィンドウは、メインウィンドウ表示エリアと、サブウィンドウ表示エリアとのいずれかかに表示されると共に、サブウィンドウ表示エリアで表示されるウィンドウの広さは、メインウィンドウ表示エリアより狭くされてなるので、このような本発明に係るウィンドウ表示制御システムによれば、ぞれぞれの立場に応じたモニタリング情報を、それぞれの嗜好に応じて参照することできると共に、モニタリング情報種別の軽重に応じて情報を参照することが可能となる。
【図面の簡単な説明】
【００１２】
【図１】本発明の実施形態に係るウィンドウ表示制御システム１０の構成例を示す図である。
【図２】本発明の実施形態に係るウィンドウ表示制御システム１０が設置された建設工事中のビルディングを示す模式図である。
【図３】本発明の実施形態に係るウィンドウ表示制御システム１０の上位情報処理装置３０に記憶されるウィンドウ管理データ３５のデータ構造例を示す図である。
【図４】本発明の実施形態に係るウィンドウ表示制御システム１０の上位情報処理装置３０及び下位情報処理装置５０の処理の流れを示す図である。
【図５】本発明の実施形態に係るウィンドウ表示制御システム１０の下位情報処理装置５０で実行される表示ルーチンのフローチャーを示す図である。
【図６】本発明の実施形態に係るウィンドウ表示制御システム１０におけるウィンドウ表示例を示す図である。
【図７】本発明の実施形態に係るウィンドウ表示制御システム１０におけるウィンドウ表示例を示す図である。
【図８】本発明の実施形態に係るウィンドウ表示制御システム１０におけるウィンドウ表示例を示す図である。
【図９】本発明の実施形態に係るウィンドウ表示制御システム１０におけるウィンドウ表示例を示す図である。
【発明を実施するための形態】
【００１３】
以下、本発明の実施の形態を図面を参照しつつ説明する。図１は本発明の実施形態に係るウィンドウ表示制御システム１０の構成例を示す図である。また、図２は本発明の実施形態に係るウィンドウ表示制御システム１０が設置された建設工事中のビルディング（建造物の一例）を示す模式図である。なお、図２においては、建設工事中のビルディングのモニタリング情報を収集するためのプローブが全て図示されているわけではない。
【００１４】
本実施形態では、ウィンドウ表示制御システム１０が建設中のビルディングに設置され、工事の進捗等を総合的に管理する管理要員や、現場作業に従事する作業員や、或いは当該ビルディングの近隣住民に対して、複数のウィンドウ表示によって情報を提供する例に基づいて説明を行うが、本発明に係るウィンドウ表示制御システム１０の利用形態がこれに限定されるものではない。
【００１５】
本発明に係るウィンドウ表示制御システム１０においては、上記のような複数のウィンドウ表示を行うものが、下位情報処理装置５０における表示装置５３である。このような下位情報処理装置５０は、本発明に係るウィンドウ表示制御システム１０では複数用いられることが想定されている。
【００１６】
なお、図１においては、下位情報処理装置５０がノート型のパーソナルコンピューターの場合を示しているが、下位情報処理装置５０はノート型パーソナルコンピューターに限定される必要はない。例えば、下位情報処理装置５０としては、タブレット型情報処理端末、或いは、サイネージ型情報処理装置或いはスマートフォンなど表示装置を備えるものであればどのような情報処理装置を用いることもできる。
【００１７】
上記のような下位情報処理装置５０は、これら下位情報処理装置５０を統括的に管理・制御する上位情報処理装置３０に対してデータ通信可能に接続されている。一般的には、上位情報処理装置３０と下位情報処理装置５０とをＬＡＮなどの通信ネットワークによって接続しておくことが好ましい。ここで、当該通信ネットワークの規格が特に限定されるものではないし、また、有線・無線などの通信方式が限定されるものでもない。
【００１８】
上位情報処理装置３０と下位情報処理装置５０とには、それぞれの表示装置上で、複数のウィンドウ表示を実現するオペレーティングシステムがインストールされている。このようなオペレーティングシステムとしては、例えばマイクロソフト社が提供するウィンドウズ（登録商標）を用いることができるが、これに限定されるものではない。上位情報処理装置３０は一般的にサーバーと言われているものに相当し、下位情報処理装置５０はクライアントと言われているものに相当する。
【００１９】
サーバーとして機能する上位情報処理装置３０は、下位情報処理装置５０に提供する情報の収集装置としても機能している。建設中のビルディングに設置されてなる本発明に係るウィンドウ表示制御システム１０においては、ビルディングのモニタリング情報が上位情報処理装置３０によって収集され、モニタリング情報の種別に応じてそれぞれの情報がウィンドウの形式で、下位情報処理装置５０に提供されるようになっている。
【００２０】
このために、上位情報処理装置３０は、モニタリング情報を収集するためのプローブとなる構成とデータ通信可能に接続されている。建設中のビルディングをモニタするためのプローブとして、本実施形態では、撮像装置６０、風速計７０、変位計８０、軸力計８２、水位計８３、電力計８４、騒音計８５、振動計８６、コンクリート打設管理システム８８、鉄骨管理システム８９、車両入退場管理システム９０、高所作業車管理システム９３、作業員入退場管理システム９５、天気情報提供サービス９８を例に挙げるが、本発明がこれらに限定されるものではない。
【００２１】
上位情報処理装置３０では、建設現場を撮像するライブカメラとして設置されている撮像装置６０で撮影された撮像データが収集される。本実施形態では、このような撮像装置６０がビルディング建設地のゲートに設置され、ゲートにおける入退等の情報をモニタすることが想定されている。このような撮像装置６０の設置台数や設置箇所はこれに限られるものではない。
【００２２】
また、建設中のビルディングが風により受ける力を把握するために、風速計７０がビルディングの近傍に設置されている。このような風速計７０で取得される風速データは、上位情報処理装置３０へと送信される。
【００２３】
また、当該ビルディングが建設される地盤の状況に関する情報を取得するために、変位計８０、軸力計８２、水位計８３が設置されており、これらの計測器で取得された情報は、上位情報処理装置３０へとデータ送信され、上位情報処理装置３０で収集される。収集された情報は、山留変位・切梁軸力・ＤＥＥＰ  ＷＥＬＬに関する情報としてウィンドウを介してユーザーに提供される。
【００２４】
また、商用電源から当該ビルディングの建設現場に投入される電力、及び、建設現場で発電されて建設現場で利用される電力は、電力計８４によって計測される。これらの電力計測データは、上位情報処理装置３０へとデータ送信され、上位情報処理装置３０で収集される。
【００２５】
また、騒音計８５は当該ビルディングの建設現場における騒音レベルを計測し、振動計８６は建設現場における振動を計測する。騒音計８５で計測される騒音データ、及び、振動計８６で計測される振動データは、上位情報処理装置３０へと送信され、本発明に係るウィンドウ表示制御システム１０によるウィンドウで表示が行われる。
【００２６】
また、当該ビルディングの工事の進捗を管理するために用いられる管理システムが、本発明に係るウィンドウ表示制御システム１０に対して提供されている。このような管理システムとしては、工事の進捗管理を行う任意のものを用いることができるが、本実施形態では、例としてコンクリートの打設量を計数して管理するコンクリート打設管理システム８８と、組まれる鉄骨の数量を計数して管理する鉄骨管理システム８９が設けられている。
【００２７】
コンクリート打設管理システム８８において、打設コンクリートの量の計数は、手動による計数であっても構わないが、例えば、アジテータ車の建設現場への入退を管理することにより、コンクリートの打設量の計数を自動化することもできる。
【００２８】
また、鉄骨管理システム８９において、鉄骨のピース数の計数は、手動による計数であっても構わないが、例えば、鉄骨を搬入するトラックの数や、鉄骨を取り付ける際に用いるクレーンの吊り上げ重量などに基づいて、取り付けられた鉄骨のピース数を計数するなどして自動化を図ることもできる。
【００２９】
また、建設中のビルディングのゲート部においては、建設現場内に入った車両の数や種別、及び建設現場から出た車両の数や種別を監視・管理する車両入退場管理システム９０が設けられている。このような車両入退場管理システム９０で把握される、建設現場に入退する車両の数・種別に係るデータも上位情報処理装置３０に送信される。本発明に係るウィンドウ表示制御システム１０においては、このような車両入退場管理システム９０で把握される情報も、ウィンドウを介してユーザーに提供されるようになっている。
【００３０】
また、ビルディングの建設現場においては、高所作業車管理システム９３によって、現場内に入場している高所作業車のうち、どの程度の高所作業車が稼働中であるかがデータとして取得されており、このようなデータが上位情報処理装置３０に対してデータ送信される。建設現場内に存在する高所作業車の数は、例えば車両入退場管理システム９０から取得することができる。また、高所作業車が稼働中であるか否かに係るデータは手動で取得するようにしてもよいし、高所作業車のブームに収縮を検知するセンサーを設けておき、そのセンサーからの情報に基づいて稼働中であるか否かを判断するようにしてもよい。
【００３１】
また、作業員入退場管理システム９５は、建設中のビルディングのゲート部に設けられ、現場における作業員の存否に係る情報、所謂出面情報を管理する。このような作業員入退場管理システム９５で管理されるデータは、上位情報処理装置３０に送信されるようになっている。
【００３２】
現場における作業員の存否情報は、予め作業員に対して固有情報を有するタグ（例えば、ＲＦＩＤタグやＱＲコード）を配布しておき、このようなタグをゲートでスキャンすることで実現することができる。固有情報に対応して、当該作業員の氏名、所属企業や業種などを登録しておくことで、作業員入退場管理システム９５によって、どの企業に属するどのような業種の作業員が現在現場で作業を行っているかについて管理を行うことが可能となる。作業員入退場管理システム９５に基づくデータは、本発明に係るウィンドウ表示制御システム１０によるウィンドウを介してユーザーに提供される。
【００３３】
また、天気情報提供サービス９８は、例えばインターネット上で提供されている天気情報提供デービスを利用することができる。このような気情報提供デービスによれば、ビルディングの建設現場が存在するエリアに係るピンポイントの天気情報を取得することができる。上位情報処理装置３０はこのような天気情報を取得し、本発明に係るウィンドウ表示制御システム１０によるウィンドウでユーザーに報知を行うことができる。
【００３４】
以上のように上位情報処理装置３０に送信された各種データは、建設中のビルディングの各種モニタリング情報として、それぞれ個別のウィンドウで表示されるようにデータ処理がされる。このようにデータ処理がされたウィンドウ表示用のデータは、通信回線を介して、下位情報処理装置５０へと送信される。
【００３５】
ところで、建設中のビルディングにおいては、工事の管理を行う管理要員が把握すべき情報、作業種別毎で作業員が把握すべき情報、ビルディング近隣住民に提供する情報などは、それぞれ異なってくる。したがって、本発明に係るウィンドウ表示制御システム１０においては、下位情報処理装置５０のユーザー毎で提供する情報を、異ならせるようにしている。
【００３６】
より具体的には、情報の種別毎に表示用ウィンドウデータが構成されているが、どの種別のウィンドウデータを、どのユーザーに提供するかしないか、すなわち、ユーザーに対応したウィンドウ毎の表示の許可・不許可を、本発明に係るウィンドウ表示制御システム１０においては、上位情報処理装置３０側で一括管理するようにしている。
【００３７】
このような一括管理のために、上位情報処理装置３０の記憶部にはウィンドウ管理データ３５が記憶されている。このようなウィンドウ管理データ３５によって、本発明に係るウィンドウ表示制御システム１０では、ユーザー管理、ユーザー毎の許容ウィンドウ管理、ユーザー毎のウィンドウレイアウト管理が行い得るようになっている。
【００３８】
図３は本発明の実施形態に係るウィンドウ表示制御システム１０の上位情報処理装置３０に記憶されるウィンドウ管理データ３５のデータ構造例を示す図である。上位情報処理装置３０は、このようなウィンドウ管理データ３５によって、下位情報処理装置５０からログインされるユーザー毎のウィンドウを管理するようにしている。
【００３９】
ウィンドウ管理データ３５において、ユーザー管理データとして、例えば通し番号の管理番号、ユーザーの氏名データ、ユーザーの所属部署などの所属データ、ユーザー毎に割り当てられる固有のＩＤ、各ＩＤに対応して設定されるパスワードを少なくとも有している。
【００４０】
また、許容ウィンドウ管理データは、設定されている各ユーザーが、どのウィンドウの情報を参照許可されているか、どのウィンドウの情報が参照不許可とされているかを格納してなるものである。例えば、管理番号０００７のユーザーでは、撮像装置６０で取得されるデータからなる撮像データのウィンドウは参照許可され、風速計７０で取得されるデータからなる風速計のウィンドウは参照許可され、変位計８０などで取得されるデータからなる変位計のウィンドウは参照許可されず、・・・・、車両入退場管理システム９０で取得されるデータからなる車両に関する入退場管理システムのウィンドウは参照許可され、入退場管理システム９０で取得されるデータからなる出面に関する入退場管理システムのウィンドウは参照許可され、天気情報提供サービス９８で取得されるデータからなるピンポイント天気予報のウィンドウは参照許可されることが、許容ウィンドウ管理データに記述されている。
【００４１】
ユーザーが参照許可され参照できる複数のウィンドウを、表示装置上でどのように配置するかは、個人毎で嗜好が異なっている。このような嗜好を記憶おくために、ウィンドウ管理データ３５においては、ユーザー毎のウィンドウのレイアウトデータが保持されている。このようなウインドウレイアウト管理データが記憶されているために、それぞれのユーザーの立場で、モニタリング情報種別の軽重や嗜好に応じてユーザーが独自に配置したウインドウレイアウトを維持することできる。これにより、ユーザーにとっては常に見慣れた見やすい態様で情報を把握することができる。
【００４２】
次に、以上のように構成される本発明に係るウィンドウ表示制御システム１０における制御・処理のアルゴリズムについて説明する。図４は本発明の実施形態に係るウィンドウ表示制御システム１０の上位情報処理装置３０及び下位情報処理装置５０の処理の流れを示す図である。
【００４３】
図４においては、複数存在する下位情報処理装置５０のうちの一つと、上位情報処理装置３０とがどのように協働して処理を実行するかを示した流れ図となる。図４において、ステップＳ１０１で下位情報処理装置５０が、上位情報処理装置３０に対してログイン要求動作を行うこと伴い、ログインしようとしているユーザーのＩＤ及びパスワードが、上位情報処理装置３０に送信される。
【００４４】
これを受け、ステップＳ２０１では、上位情報処理装置３０がウィンドウ管理データ３５を参照して、ステップＳ２０２で送信されたＩＤ・パスワードと、ウィンドウ管理データ３５に記憶されているＩＤ・パスワードと一致するか否かが判定される。
【００４５】
ステップＳ２０２における判定がＮＯであれば、ＸのルートでステップＳ１０１に戻る。ここでは、正しいＩＤ・パスワードを入力するようにユーザーに促す。一方、ステップＳ２０２における判定がＹＥＳであれば、ウィンドウ管理データ３５に記憶されているレイアウトデータを、通信回線を介して下位情報処理装置５０側に送信する。
【００４６】
このようなレイアウトデータを受信した下位情報処理装置５０では、ステップＳ１０２で、複数のウィンドウを表示する表示ルーチンを実行する。ここで、このような表示ルーチンについて図５乃至図９を参照して説明を行う。
【００４７】
図５は本発明の実施形態に係るウィンドウ表示制御システム１０の下位情報処理装置５０で実行される表示ルーチンのフローチャーを示す図である。また、図７乃至図９は本発明の実施形態に係るウィンドウ表示制御システム１０におけるウィンドウ表示例を示す図である。
【００４８】
図５において、ステップＳ３００で表示ルーチンのフローチャートが開始されると、続いて、ステップＳ３０１では、表示装置５３におけるウィンドウの（レイアウト設定）を、上位情報処理装置３０から（受信したレイアウトデータ）とする。そして、ステップＳ３０２では、（レイアウト設定）に基づいてウィンドウ表示を行うようにする。図６は、このような（レイアウト設定）によるウィンドウ表示例を示すものである。
【００４９】
図６に示すように、本発明に係るウィンドウ表示制御システム１０では、表示装置５３には複数のウィンドウが表示されるように設定されている。このような複数のウィンドウは、例えばブラウザソフトウエア上でこれを行えるように設定することができる。
【００５０】
本発明に係るウィンドウ表示制御システム１０におけるウィンドウ表示で特徴となるのは、複数のウィンドウを表示するエリアが２種類存在することである。本発明におけるウィンドウ表示においては、メインウィンドウ表示エリアと、サブウィンドウ表示エリアとの２つの表示エリアが存在する。ここで、サブウィンドウ表示エリアで表示されるウィンドウの広さは、メインウィンドウ表示エリアより狭く設定されている。レイアウトデータは、どのウィンドウをメインウィンドウ表示エリアの順位何位の位置に表示させ、どのウィンドウをサブウィンドウ表示エリアの順位何位の位置に表示させるかを規定したデータである。順位の概念ついては後述する。
【００５１】
メインウィンドウ表示エリアは、表示画面の略左側のエリアに相当し、サブウィンドウ表示エリアは、表示画面の略右側のエリアに相当する。図６の例では、メインウィンドウ表示エリアには、「カメラ映像（ゲート）」、「山留変位・軸力・排水量」、「入退場管理(出面)」、「工事進捗管理（コンクリート打設）」、「工事進捗管理（鉄骨）」の各情報提示ウィンドウが表示されるようになっている。また、図６の例では、サブウィンドウ表示エリアには、「消費電力情報」、「騒音・振動情報」、「風速計」、「ピンポイント天気予報」、「入退場管理（車両）」の各情報提示ウィンドウが表示されるようになっている。これらの情報提示ウィンドウで表示される各種データは、図１における撮像装置６０、風速計７０、変位計８０、軸力計８２、水位計８３、電力計８４、騒音計８５、振動計８６、コンクリート打設管理システム８８、鉄骨管理システム８９、車両入退場管理システム９０、高所作業車管理システム９３、作業員入退場管理システム９５、天気情報提供サービス９８の各部で取得されたデータに基づいている。
【００５２】
このように、本発明に係るウィンドウ表示制御システム１０では、ユーザーにとって重要な情報については、メインウィンドウ表示エリアに表示させるようにし、副次的な情報や常時参照する必要がない情報についてはサブウィンドウ表示エリアに表示させるようにすることで、ユーザーが情報を鳥瞰的に把握することが可能となる。
【００５３】
なお、図６では、メインウィンドウ表示エリアでは３×２のウィンドウ表示を行い、サブウィンドウ表示エリアでは１×５のウィンドウ表示を行う例を示しているが、メインウィンドウ表示エリアで表示するウィンドウの数・表示パターン、及びサブウィンドウ表示エリアで表示するウィンドウの数・表示パターンは任意である。例えば、図９に示すように、メインウィンドウ表示エリアでは２×２のウィンドウ表示を行い、サブウィンドウ表示エリアでは２×４のウィンドウ表示を行うようにしてもよい。
【００５４】
ステップＳ３０３では、ユーザーによって、ウィンドウの表示処理の終了操作がなされたか否かが判定される。当該判定がＮＯであるときにはステップＳ３０４に進み、ウィンドウレイアウトの変更操作がなされた否かが判定される。
【００５５】
このようなウィンドウレイアウトの変更操作について図６乃至図７を参照して例示的に説明する。マウス（不図示）等のポインティングデバイスで、表示画面上でポインタＰをタイトルバー「入退場管理（車両）」の近傍に位置させて、これを点線の矢印（ａ）のようにドラッグアンドドロップする。例えば、このような操作がユーザーによるウィンドウレイアウトの変更操作である。
【００５６】
すると、本発明に係るウィンドウ表示制御システム１０では、タイトル「入退場管理（車両）」で表示されるウィンドウが略ドロップされたメインウィンドウ表示エリアで表示されるように設定されている。このときウィンドウの広さは、サブウィンドウ表示エリアに表示されるものから、メインウィンドウ表示エリアに表示されるものへと変更される。なお、メインウィンドウ表示エリアから、サブウィンドウ表示エリアへとウィンドウの位置を変更する操作を行えば、これに伴いウィンドウの広さは縮小される。
【００５７】
ここで、タイトル「入退場管理（車両）」で表示されるウィンドウがドロップされた位置に元々存在していたタイトル「入退場管理(出面)」のウィンドウは、タイトル「工事進捗管理（コンクリート打設）」のウィンドウが元々存在していた位置に一点鎖線の矢印（ｂ）に示すように移動する。また、タイトル「工事進捗管理（コンクリート打設）」のウィンドウは、タイトル「工事進捗管理（鉄骨）」のウィンドウが元々存在していた位置に二点鎖線の矢印（ｃ）に示すように移動する。また、タイトルタイトル「工事進捗管理（鉄骨）」のウィンドウは、二点鎖線の矢印（ｄ）に示すように右横に移動する。
【００５８】
本発明に係るウィンドウ表示制御システム１０では、メインウィンドウ表示エリア、サブウィンドウ表示エリアのいずれにおいても、より上段に表示され、より左側に表示されるウィンドウの順位が高く設定されている。あるウィンドウがドラッグアンドドロップ操作により、新たな表示位置に加入されたり、元々あった位置から除かれたり、消去されたりした場合の、ウィンドウの表示の順位調整は、より上段に表示され、より左側に表示されるウィンドウの順位が高い、というルールに基づいている。タイトル「入退場管理（車両）」のウィンドウがユーザーによって（ａ）に示す操作がなされると、このようなルールに基づいて、図８に示すような表示形態となる
さて、ステップＳ３０５では、ユーザーの操作に基づいて（レイアウト設定）が変更される。すなわち、図６によるユーザーの操作によって、図８のようなレイアウトが決まり、この（レイアウト設定）が変更・維持され、ステップＳ３０２で表示装置５３におけるウィンドウ表示が実行される。
【００５９】
ステップＳ３０３では、ユーザーによって、ウィンドウの表示処理の終了操作がなされ、ステップＳ３０３の判定がＹＥＳであるときにはステップＳ３０６に進む。ステップＳ３０６では、現在の（レイアウト設定）を、上位情報処理装置３０に送信する（レイアウトデータ）として記憶し、ステップＳ３０７に進み、元のフローにリターンする。
【００６０】
さて、図４の流れ図に戻り、下位情報処理装置５０が上位情報処理装置３０に対してログアウトを要求する際には、通信回線を介して（レイアウトデータ）を上位情報処理装置３０に送信する。すると、上位情報処理装置３０では、受信した（レイアウトデータ）によってウィンドウ管理データ３５を更新保存する。これにより、下位情報処理装置５０においてユーザーの操作に基づいて変更されたウィンドウのレイアウト設定についても、上位情報処理装置３０側で管理することができる。
【００６１】
以上のように、本発明に係るウィンドウ表示制御システム１０は、複数のウィンドウは、メインウィンドウ表示エリアと、サブウィンドウ表示エリアとのいずれかかに表示されると共に、サブウィンドウ表示エリアで表示されるウィンドウの広さは、メインウィンドウ表示エリアより狭くされてなるので、このような本発明に係るウィンドウ表示制御システム１０によれば、建設工事などにおいてぞれぞれの立場に応じたモニタリング情報を、それぞれの嗜好に応じて参照することできると共に、モニタリング情報種別の軽重に応じて情報を参照することが可能となる。
【符号の説明】
【００６２】
１０・・・ウィンドウ表示制御システム
３０・・・上位情報処理装置
３５・・・ウィンドウ管理データ
５０・・・下位情報処理装置
５３・・・表示装置
６０・・・撮像装置
７０・・・風速計
８０・・・変位計
８２・・・軸力計
８３・・・水位計
８４・・・電力計
８５・・・騒音計
８６・・・振動計
８８・・・（工事進捗管理用）コンクリート打設管理システム
８９・・・（工事進捗管理用）鉄骨管理システム
９０・・・車両入退場管理システム
９３・・・高所作業車管理システム
９５・・・作業員入退場管理システム
９８・・・天気情報提供サービス
【図１】
2020173303.tif 000003
【図２】
2020173303.tif 000004
【図３】
2020173303.tif 000005
【図４】
2020173303.tif 000006
【図５】
2020173303.tif 000007
【図６】
2020173303.tif 000008
【図７】
2020173303.tif 000009
【図８】
2020173303.tif 000010
【図９】
2020173303.tif 000011